(57)【要約】【課題】ライナーに付着した液状の内容物がボトル缶の口金部の外面側に垂れるのを防止することにより、口金部の外面側に内容物に含まれる糖分等がシュガー状となって付着するのを防止する。【解決手段】天板部１３の周縁部に筒状の周壁部１４が形成されたカップ状のキャップ本体１２内に、天板部１３の内面側に密着した状態でライナー２０が設けられキャップ材１１をボトル缶の口金部に被せ、キャップ材１１にキャッピング加工を施すことによりキャップに成形する。ライナー２０の口金部の開口端部に当接する部分より内側の部分には、複数の凹部２２からなる凝集保持部２１が設けられ、この凝集保持部２１の凹部２２にライナー２０に付着する液状の内容物が凝集されて表面張力の作用によって保持される。キャップを着脱したときにライナーから内容物の雫が口金部の外面側に垂れるのが防止される。【選択図】        図１
2004359269.tif 000002
【特許請求の範囲】
【請求項１】
天板部の周縁部に筒状の周壁部が形成されたカップ状のキャップ本体内に、前記天板部の内面側に密着した状態でライナーが設けられ、缶本体の口金部にリシール可能に被着されるキャップであって、前記ライナーの前記口金部の開口端部に当接する部分より内側の部分に、前記ライナーに付着する内容物を凝集させて保持する凝集保持部を設けたことを特徴とするキャップ。
【請求項２】
請求項１に記載のキャップであって、前記凝集保持部は、前記天板部の方向に凹む複数の凹部からなることを特徴とするキャップ。
【請求項３】
請求項２に記載のキャップであって、前記各凹部は、略円形断面をなしていることを特徴とするキャップ。
【請求項４】
請求項２又は３に記載のキャップであって、前記各凹部の開口周縁部には、前記天板部から離れる方向に突出する環状の凸部が一体に設けられていることを特徴とするキャップ。
【請求項５】
請求項１から４の何れかに記載のキャップを口金部に被着してなることを特徴とするキャップ付きボトル缶。
【発明の詳細な説明】
【０００１】
【発明の属する技術分野】
本発明は、キャップ及びキャップ付きボトル缶に関し、特に、リシール可能なキャップ及びそのキャップを備えたキャップ付きボトル缶に関するものである。
【０００２】
【従来の技術】
近年、リシール可能なアルミニウム製のキャップを備えた飲料用のアルミニウム製のキャップ付きボトル缶が広く使われている。このようなボトル缶は、アルミニウム板をＤＩ成形によって有底筒状に成形して缶本体を形成した後に、缶本体の開口部を複数回ネックイン加工することにより縮径してテーパ部及び口金部を形成し、次に、口金部を膨出成形することによりかぶら部を形成し、次に、口金部にねじ部（雄ねじ部）及びカール部を形成している。
【０００３】
このように形成したボトル缶は、その後、内部にビール、炭酸飲料等の内容物を充填し、この後に口金部にキャップ材を被せ、キャップ材にキャッピング加工を施すことにより、キャップ材が口金部に巻き締められ、キャップ付きボトル缶に形成される。
【０００４】
ここで、図９に示すようにキャップ材３１は、天板部３３と天板部３３の周縁部に設けられる筒状の周壁部３４とからなる有底筒状のキャップ本体３２と、キャップ本体３２の天板部３３の内面側に密着した状態で設けられるライナー４０とからなり、周壁部３４はナール３５、グルーブ３６、ミシン目３８を有するビード３７、及びフレアー３９を備えている。
【０００５】
そして、このような構成のキャップ材３１を、図１０に示すようにボトル缶５１の口金部５３に被せ、この状態でキャップ材３１にキャッピング加工を施すことにより、キャップ材３１が口金部５３に巻き締められてキャップ３０に成形される。
【０００６】
すなわち、プレッシャーブロック、プレッシャーブロックインサート、ＲＯローラ、ＰＰローラ等からなるキャッピング装置（図示せず）を用い、ボトル缶５１の口金部５３に被せたキャップ材３１の天板部３３をプレッシャーブロックインサートで缶底の方向に押圧し、この状態で、プレッシャーブロックによる絞り加工によってキャップ材３１の肩部に段差部４４を形成し、更に、この状態でＲＯローラによりキャップ材３１の周壁部３４にねじ部４５（雌ねじ部）を形成し、更に、ＰＰローラによりフレアー３９をかぶら部５４に巻き締める。
【０００７】
このようにして、キャップ材３１を口金部５３に巻き締めてキャップ３０に成形することで、天板部３３の内面側のライナー４０が口金部５３のカール部５６に圧接され、それらの間がシールされてボトル缶５１の内部に炭酸飲料等の内容物が封入される。
【０００８】
そして、キャップ３０を回してビード３７をミシン目３８から切断し、キャップ３０をボトル缶５１の口金部５３から取り外すことにより、口金部５３が開栓されて炭酸飲料等の内容物を飲むことが可能となる。そして、取り外したキャップ３０を口金部５３に再び取り付けることにより、ライナー４０によって口金部５３の開口端部がリシールされ、内容物がボトル缶５１の内部に封入される。
【０００９】
上記のようなリシール可能なキャップ及びキャップ付きボトル缶に関する先行技術としては、各種のものが提案されている（例えば、特許文献１参照。）。
【００１０】
【特許文献１】
特開２００１−２１３４１７号公報
【００１１】
【発明が解決しようとする課題】
ところで、上記のような構成のキャップ及びキャップ付きボトル缶にあっては、ボトル缶５１を傾けた場合等にキャップ３０のライナー４０に液状の内容物が付着し、この付着した内容物がキャップ３０を口金部５３から取り外したときに、口金部５３のねじ部５５の外面側に雫となって垂れることがある。そして、このままの状態でキャップ３０を口金部５３に取り付けて締め付けることにより、内容物の水分が蒸発して内容物に含まれる糖分等がシュガーセメント状となって付着し、見栄えが非常に悪くなるとともに、キャップ３０の着脱を円滑に行うことができなくなる。
【００１２】
本発明は、上記のような従来の問題に鑑みなされたものであって、ボトル缶を傾けた場合等にキャップのライナーに液状の内容物が付着しても、その内容物が口金部のねじ部の外面側に雫となって垂れるようなことはなく、口金部のねじ部の外面側に内容物中に含まれる糖分等がシュガーセメント状となって付着するようなことがなく、これにより見栄えを良くすることができるとともに、キャップの着脱を円滑に行うことができるキャップ及びキャップ付きボトル缶を提供することを目的とするものである。
【００１３】
【課題を解決するための手段】
上記のような課題を解決するために、本発明は、以下のような手段を採用している。すなわち、請求項１に係る発明は、天板部の周縁部に筒状の周壁部が形成されたカップ状のキャップ本体内に、前記天板部の内面側に密着した状態でライナーが設けられ、缶本体の口金部にリシール可能に被着されるキャップであって、前記ライナーの前記口金部の開口端部に当接する部分より内側の部分に、前記ライナーに付着する内容物を凝集させて保持する凝集保持部を設けたことを特徴とする。
この発明によるキャップによれば、キャップのライナーに付着した内容物は、ライナーの口金部の開口端部に当接する部分よりも内側の部分に設けられている凝集保持部に凝集されて表面張力の作用によって保持され、ライナーから口金部の外面側に内容物の雫が垂れるのが防止される。
【００１４】
請求項２に係る発明は、請求項１に記載のキャップであって、前記液体凝集部は、前記天板部の方向に凹む複数の凹部からなることを特徴とする。
この発明によるキャップによれば、キャップのライナーに付着した内容物は、天板部の方向に凹む複数の凹部からなる凝集保持部に凝集されて表面張力の作用によって保持され、ライナーから口金部の外面側に内容物の雫が垂れるのが防止される。
【００１５】
請求項３に係る発明は、請求項２に記載のキャップであって、前記各凹部は、略円形断面をなしていることを特徴とする。
この発明によるキャップによれば、キャップのライナーに付着した内容物は、凝集保持部の略円形断面をなしている凹部に凝集されて表面張力の作用によって保持され、ライナーから口金部の外面側に内容物の雫が垂れるのが防止される。
【００１６】
請求項４に係る発明は、請求項２又は３に記載のキャップであって、前記各凹部の開口周縁部には、前記天板部から離れる方向に突出する環状の凸部が一体に設けられていることを特徴とする。
この発明によるキャップによれば、キャップのライナーに付着した内容物は、複数の凹部と各凹部の開口周縁部に設けられている天板部から離れる方向に突出する環状の凸部とからなる凝集保持部に凝集されて表面張力の作用によって保持され、ライナーから口金部の外面側に内容物の雫が垂れるのが防止される。
【００１７】
請求項５に係る発明は、請求項１から４の何れかに記載のキャップを口金部に被着してなることを特徴とする。
この発明によるキャップ付きボトル缶によれば、キャップのライナーに付着した内容物は、ライナーの口金部の開口端部に当接する部分よりも内側の部分に設けられている凝集保持部に凝集されて表面張力の作用によって保持され、ライナーから口金部の外面側に内容物の雫が垂れるのが防止される。
【００１８】
【発明の実施の形態】
以下、図面を参照しつつ、本発明の実施の形態について説明する。
図１〜図８には、本発明によるキャップ及びキャップ付きボトル缶の一実施の形態が示されていて、図１〜図３はキャップ材を示す概略図、図４はキャップ材をボトル缶に被せた状態を示す概略図、図５はボトル缶の口金部の断面図、図６はボトル缶にキャップを被着させた状態を示す概略図、図７はキャップの凝集保持部に内容物を保持した状態を示す説明図、図８はキャップ材の製造方法を示す説明図である。
【００１９】
ボトル缶１は、図４、図５及び図６に示すように、アルミニウム板又はアルミニウム合金板を素材として、ＤＩ成形によって有底筒状に成形して缶本体２を形成した後に、缶本体２の開口部を複数回ネックイン加工することにより縮径して口金部３を形成し、この後に口金部３に膨出成形することによりかぶら部４を形成し、更に、口金部３にねじ部５（雄ねじ部）及びカール部６を形成することにより、ボトル状に形成される。
【００２０】
ボトル缶１の口金部３に被着されるキャップ１０は、図４に示すように、ボルト缶１の内部にビール、炭酸飲料等の内容物を充填し、この状態で口金部３にキャップ材１１を被せ、図６に示すように、キャップ材１１にキャッピング加工を施すことにより、キャップ材１１が口金部３に巻き締められ、リシール可能なキャップ１０に成形される。
【００２１】
キャップ材１１は、図１〜図３及び図８に示すように、アルミニウム板又はアルミニウム合金板を素材とし、この素材の表面に塗装及び印刷を行い、オーブンによって塗料及び印刷の焼き付けを行う。そして、打ち抜き加工によって円形状の小板に切断する。そして、プレス成形によって小板を天板部１３と天板部１３の周縁部に設けられる筒状の周壁部１４とからなる有底筒状のキャップ本体１２に成形する。そして、このキャップ本体１２の周壁部１４にパーフォレーションにより、ナール１５、グルーブ１６、ミシン目１８を有するビード１７、及びフレアー１９を加工する。そして、天板部１３の内面側にライナー２０を設ける。
【００２２】
ライナー２０は、ポリエチレン（ＰＥ）、ＥＶＡ樹脂、エチレンプロピレンラバー（ＥＰＲ）等の合成樹脂から形成されるものであって、シートタイプとモールドタイプの２種類があるので、用途に応じて適宜のタイプのものを使用すれば良い。シールドタイプのライナー２０の場合には、円形状に形成したライナー２０を天板部１３の内面側に熱圧着により取り付ける。モールドダイプのライナー２０の場合には、天板部１３の内面側に溶融樹脂を注入し、型を押し付けることにより所定の形状に成形する。
【００２３】
ライナー２０を設けた後に、図１〜図３に示すように、ライナー２０のボトル缶１の口金部３の開口端部、すなわちカール部６の頂部と接触する部分よりも内側の部分に、ライナー２０に付着した液状の内容物を凝集させて保持する凝集保持部２１を設ける。
【００２４】
凝集保持部２１は、ライナー２０に天板部１３の方向に凹む複数の断面略円形状の凹部２２を設けて構成したものであって、各凹部２２の開口周縁部には天板部１３から離れる方向に突出する環状の凸部２３が一体に設けられる。
【００２５】
凝集保持部２１は、ライナー２０の口金部３の開口端部に接触する部分よりも内側の部分の全体に複数の凹部２２、２２……を設けて構成しても良いし、ライナー２０の中心部を除いた部分に複数の凹部２２、２２、……を設けて構成しても良い。シートタイプのライナー２０の場合には、中央部が熱圧着によって天板部１３側に接合されることにより、その部分が他の部分よりも薄く形成されるので、その中央部の外側の部分に複数の凹部２２、２２……を設ける。モールドタイプのライナー２０の場合には、中央部に設けることも可能である。
【００２６】
本願発明者らは、凝集保持部２１の凹部２２として各種の形状のものを作製して実験を行った。この結果、断面略円形状のものが液状の内容物を凝集させて保持するのに最も有効であることを見い出した。
【００２７】
凝集保持部２１の各凹部２２は、ライナー２０がシートタイプの場合には、ライナー２０を天板部１３の内面側に熱圧着した後に、先端部を加熱した金属製の丸棒をライナー２０を押し付ける等の方法によって形成すれば良い。また、ライナー２０がモールドタイプの場合には、溶融樹脂を注入した後に、凹部２２に合致する凸部を有する型を押し付ける等の方法によって形成すれば良い。このようにして、有底筒状のキャップ材１１が形成される。
【００２８】
そして、図４に示すように、上記のように形成したキャップ材１１をボトル缶１の口金部３に被せ、この状態で、図６に示すように、キャッピング装置（図示せず）によってキャップ材１１にキャッピング加工を施し、キャップ材１１の肩部に段差部２４を形成し、周壁部１４にボトル缶１の口金部３のねじ部５と合致するねじ部２５（雌ねじ部）を形成し、フレアー１９を口金部３のかぶら部４に巻き締める。このようにして、ボトル缶１の口金部３にキャップ１０が被着され、キャップ１０の天板部１３の内面側のライナー２０が口金部３のカール部６の頂部に圧接され、それらの間がシールされてボトル缶１の内部に炭酸飲料等の内容物が封入される。
【００２９】
そして、キャップ１０を回してビード１７をミシン目１８から切断し、キャップ１０を口金部３から取り外すことにより、ボトル缶１の口金部３が開栓されて炭酸飲料等の内容物を飲むことが可能となる。また、キャップ１０をボトル缶１の口金部３から取り外した後に、再びボトル缶１の口金部３に装着して締め付けることにより、キャップ１０のライナー２０が口金部３のカール部６の頂部に圧接されてそれらの間がリシールされ、内容物がボトル缶１の内部に封入される。
【００３０】
この場合、ボトル缶１を傾ける等することによってライナー２０に付着した液状の内容物は、図７に示すように、凝集保持部２１の凹部２２、２２……に凝集されて表面張力の作用によって保持され、ライナー２０から落下するのが防止される。また、万が一振動等によってライナー２０から内容物の雫が落下しても、その雫はボトル缶１のカール部６の内側に落下することになる。従って、キャップ１０の着脱を行うときに、内容物の雫がライナー２０から口金部３のねじ部５の外面側に垂れるようなことはなく、口金部３の外面側に内容物の水分が蒸発して内容物中に含まれる糖分等がシュガーセメント状となって付着するようなことはなく、見栄えを良くすることができるとともに、キャップ１０の着脱を円滑にすることができる。
【００３１】
なお、前記の説明において、凝集保持部２１の凹部２２の形状を断面略円形状としたが、この形状に限らず、液状の内容物を凝集して表面張力の作用によって保持できる形状であれば良いものである。
【００３２】
【発明の効果】
以上、説明したように、本発明の請求項１に記載のキャップによれば、缶本体を傾ける等することによってキャップのライナーに付着した内容物は、ライナーの口金部の開口端部に当接する部分よりも内側の部分に設けられている凝集保持部に凝集されて表面張力の作用によって保持されることになる。従って、ライナーに付着した内容物の雫が口金部の外面側に垂れ、内容物の水分が蒸発して内容物中に含まれる糖分等がシュガーセメント状となって付着するようなことはなく、見栄えを良くすることができるとともに、キャップの着脱を円滑にすることができる。
【００３３】
また、請求項２に記載のキャップによれば、液体凝集部は、天板部の方向に凹む複数の凹部からなるので、缶本体を傾ける等することによってキャップのライナーに付着した内容物は、天板部の方向に凹む複数の凹部からなる凝集保持部に凝集されて表面張力の作用によって保持されることになる。従って、ライナーに付着した内容物の雫が口金部の外面側に垂れ、内容物の水分が蒸発して内容物中に含まれる糖分等がシュガーセメント状となって付着するようなことはなく、見栄えを良くすることができるとともに、キャップの着脱を円滑にすることができる。
【００３４】
さらに、請求項３に記載のキャップによれば、凝集保持部を構成する各凹部は、略円形断面をなしているので、凝集保持部の凹部に凝集された液状の内容物に対して、凝集保持部から落下するのを防止するのに充分な表面張力を作用させることができる。従って、ライナーに付着した内容物の雫が口金部の外面側に垂れ、内容物の水分が蒸発して内容物中に含まれる糖分等がシュガーセメント状となって付着するようなことはなく、見栄えを良くすることができるとともに、キャップの着脱を円滑にすることができる。
【００３５】
さらに、請求項４に記載のキャップによれば、凝集保持部の各凹部の開口周縁部には、天板部から離れる方向に突出する環状の凸部が一体に設けられているので、凝集保持部の凹部に凝集された液状の内容物に対して、凝集保持部から落下するのを防止するのに充分な表面張力を作用させることができる。従って、ライナーに付着した内容物の雫が口金部の外面側に垂れ、内容物の水分が蒸発して内容物中に含まれる糖分等がシュガーセメント状となって付着するようなことはなく、見栄えを良くすることができるとともに、キャップの着脱を円滑にすることができる。
【００３６】
さらに、請求項５に記載のキャップ付きボトル缶によれば、請求項１から５に記載のキャップを備えているので、ライナーに付着した内容物を凝集保持部に凝集して表面張力の作用によって保持することができるので、内容物の雫が口金部の外面側に垂れ、内容物の液体が蒸発して内容物中に含まれる糖分等がシュガーセメント状となって付着するようなことはなく、見栄えを良くすることができるとともに、キャップの着脱を円滑にすることができる。
【図面の簡単な説明】
【図１】本発明によるキャップを成形するためのキャップ材を示した正面図である。
【図２】図１の下面図である。
【図３】図２のＡ部の拡大図である。
【図４】図１に示すキャップ材をボトル缶の口金部に被せた状態を示した概略図である。
【図５】ボトル缶の口金部の拡大断面図である。
【図６】図１に示すキャップ材にキャッピング加工を施すことにより成形したキャップの概略断面図である。
【図７】キャップのライナーの凝集保持部に液状の内容物を保持した状態を示した説明図である。
【図８】キャップ材の製造方法を示した説明図である。
【図９】従来のキャップを成形するためのキャップ材を示した正面図である。
【図１０】図９に示すキャップ材にキャッピング加工を施すことにより成形したキャップの概略断面図である。
【符号の説明】
２  缶本体
３  口金部
１０  キャップ
１２  キャップ本体
１３  天板部
１４  周壁部
２０  ライナー
２１  凝集保持部
２２  凹部
２３  凸部
【図１】
2004359269.tif 000003
【図２】
2004359269.tif 000004
【図３】
2004359269.tif 000005
【図４】
2004359269.tif 000006
【図５】
2004359269.tif 000007
【図６】
2004359269.tif 000008
【図７】
2004359269.tif 000009
【図８】
2004359269.tif 000010
【図９】
2004359269.tif 000011
【図１０】
2004359269.tif 000012